(57)【要約】【課題】  清掃ヘッドに取り付けられて液が与えられて使用される清掃用シートであって、床面との間の液の量を調整でき、また種々の大きさのゴミや埃を効果的に除去できる清掃用シートを提供する。【解決手段】  清掃ヘッド１１に取付けられる清掃用シート１の清掃面１ａに、外装不織布２が設けられた第１の領域８と、長辺に沿って形成された、前記第１の領域８よりも繊維密度の低い液透過シート３が現れた第２の領域９が設けられている。床面上の液は、第２の領域９において液透過シート３を透過して液吸収シート４に吸収される。よって外装不織布２と床面と間の液が過剰にならないように調整される。【選択図】  図６
2005342260.tif 000002
【特許請求の範囲】
【請求項１】
装着面と清掃面とを有する清掃用シートにおいて、
前記清掃面では、所定の第１の領域に外装不織布が現れ、前記第１の領域以外の第２の領域に、前記外装不織布よりも低密度の繊維層で形成されて液を透過できる空隙を有する液透過シートが現れており、
前記外装不織布の内側および前記液透過シートの内側に、液を吸収して保持可能な液吸収シートが配置されていることを特徴とする清掃用シート。
【請求項２】
前記液透過シートは、多数の繊維端が表面から突出している請求項１記載の清掃用シート。
【請求項３】
前記第２の領域は、前記清掃面の縁部に沿って設けられ、前記第１の領域は、前記縁部から内側に離れた位置に設けられている請求項１または２記載の清掃用シート。
【請求項４】
前記清掃面は長方形であり、前記第２の領域は、前記清掃面の少なくとも一方の長辺に沿って設けられている請求項３記載の清掃用シート。
【請求項５】
前記外装不織布は、縁部よりも内側が固定され、その固定部と前記縁部との間で、前記外装不織布の一部が前記清掃面において自由状態である請求項１ないし４のいずれかに記載の清掃用シート。
【請求項６】
前記外装不織布は、親水処理された合成樹脂繊維と親水性繊維の少なくとも一方を含み、且つ繊度が０．０１１〜０．７７ｄｔｅｘの極細繊維を含んでいる請求項１ないし５のいずれかに記載の清掃用シート。
【請求項７】
前記液透過シートは、疎水性の熱融着性繊維を含んでスルーエア−法で形成された不織布である請求項１ないし６のいずれかに記載の清掃用シート。
【発明の詳細な説明】
【技術分野】
【０００１】
本発明は、モップ状の清掃具などに取付けられて使用される清掃用シートに係り、特に液を吸収保持する液吸収シートを有した清掃用シートに関する。
【背景技術】
【０００２】
家庭内での床の清掃には、モップ状の清掃ヘッドに清掃用シートを取付けて使用するものがある。従来の前記清掃用シートは、単一の不織布で形成されまたは２枚程度の不織布が重ねられたものが乾燥状態で使用されるのが一般的である。乾燥状態で使用される前記清掃用シートは、不織布の表面の繊維間に埃やゴミを付着させたり、また吸着性油剤をコーティングして、シート表面にゴミや埃を付着させるようにしている。
【０００３】
しかし、乾燥状態の清掃用シートでは、綿埃などの除去はできても、床面に付着した汚れを取ることが難しい。
【０００４】
以下の特許文献１には、清掃ヘッドにノズルが設けられ、このノズルから水を床面に向けて噴出させ、床面を濡らした後に、清掃ヘッドに装着された清掃用シートで拭き取りを行う清掃具が開示されている。さらに以下の特許文献２にも、清掃ヘッドの上面から上方に延びる保持柄に液体供給部が設けられた清掃具が開示されている。さらに前記特許文献２には、液体供給式の前記清掃具に取付けるための液の吸収能力を有する洗浄パッドが開示されている。
【０００５】
前記清浄パッドは、床面などの被清掃面に向けて中央部が突出するように、段階的に厚みが変化する吸収層が設けられ、その表面がカード法、スパンボンド法などで形成されたシート材料で覆われ、さらにこのシート材料にスリットが形成されている。また、特許文献２の図５には、吸収層の傾斜部分において、前記シート材料に質感模様を与える皺を形成したシートが接合されている。
【特許文献１】実用新案登録第３０９４８５８号公報
【特許文献２】特表２００１−５２１４３２号公報
【発明の開示】
【発明が解決しようとする課題】
【０００６】
前記特許文献２に記載の洗浄パッドは、液を吸収保持する吸収層を有しているため、内部に洗浄剤を保持でき、この洗浄剤によって床面の汚れの除去効果を高めることができる。
【０００７】
しかしながら、前記清浄パッドの表面には、スリットを形成したシート材料が現れているだけであるため、清浄パッドと床面との間に介在する液の量を調整する機能を有していない。すなわち、前記清浄パッドに洗浄剤を吸収させた状態で、清浄パッドを床面などに押し付けると、吸収層に吸収されている液が前記スリットを介して床面に過剰に供給されることになる。
【０００８】
前記特許文献２には、前記洗浄パッドで清掃する対象物が、セラミックタイルの床などであると記載されている。セラミックタイルの床の場合には、多量の洗浄液を与えて前記清浄パッドで、汚れを擦り取ることが効果的であるかもしれないが、フローリングと称される表面に塗装などの仕上げ材が設けられた木製の床やその他の木製の床に対して多量の洗浄液を与えることは、床材を変質させる原因となって好ましくない。
【０００９】
また、前記洗浄パッドは、セラミックタイルなどの床の汚れを洗浄剤を用いて擦り取ることを主な目的としているため、木製の床の表面を濡らして清掃し、同時に床面に落ちている髪の毛、綿埃、その他の細かなゴミを捕捉して除去すること目的とする清掃には不向きである。
【００１０】
本発明は、上記従来の課題を解決するものであり、床面などの被清掃面に与える液の量を調整できて、被清掃面の濡れ状態を調整でき、同時に細かな埃やゴミを拭き取る効果を高くして、木製の床などの清掃にも適した清掃用シートを提供することを目的としている。
【課題を解決するための手段】
【００１１】
本発明は、装着面と清掃面とを有する清掃用シートにおいて、
前記清掃面では、所定の第１の領域に外装不織布が現れ、前記第１の領域以外の第２の領域に、前記外装不織布よりも低密度の繊維層で形成されて液を透過できる空隙を有する液透過シートが現れており、
前記外装不織布の内側および前記液透過シートの内側に、液を吸収して保持可能な液吸収シートが配置されていることを特徴とするものである。
【００１２】
本発明の清掃用シートは、濡れた床面などを清掃し、または液吸収シートに液を含ませた状態で床面などを清掃するのに適している。清掃用シートの清掃面が濡れた床に押し付けられると、床面の液が液透過シートを通過して液吸収シートに吸収され、清掃用シートと床面との間の液の量が適正となるように調整できる。このとき、床面の細かな埃と共に汚れた液が前記液吸収シートに吸収される。さらに第１の領域には、繊維密度が高い外装不織布が設けられているが、この外装不織布が適度に濡れた状態で床面に落ちているゴミや埃を捕捉でき、さらには外装不織布の表面の繊維で床面に付着した汚れを取ることができる。また水分を吸収した比較的大きなごみを、低密度の液吸収シートで捉えることができるため、比較的大きなゴミが水分を含んで床面に固着するのを防止しやすい。
【００１３】
また、本発明は、前記液透過シートは、多数の繊維端が表面から突出していることが好ましい。
【００１４】
液透過シートの表面に、繊維端が突出して起毛していると、密度の低い液透過シートでゴミや埃を捕捉する効果を高くできる。
【００１５】
本発明では、好ましくは、前記第２の領域は、前記清掃面の縁部に沿って設けられ、前記第１の領域は、前記縁部から内側に離れた位置に設けられている。例えば、前記清掃面は長方形であり、前記第２の領域は、前記清掃面の少なくとも一方の長辺に沿って設けられているものである。
【００１６】
液透過シートが清掃面の側縁部に設けられていると、この側縁部が先行するように清掃ヘッドを移動させたときに、まず先行する液透過シートで床面の過剰な水分を取り去ってから外装不織布で拭き取りができる。よって、第２の領域での液量の調整と、第１の領域での汚れ取りの双方の機能を効果的に発揮できるようになる。
【００１７】
また、本発明では、前記外装不織布は、縁部よりも内側が固定され、その固定部と前記縁部との間で、前記外装不織布の一部が前記清掃面において自由状態であるものとして構成できる。
【００１８】
前記のように、外装不織布の一部を清掃面において自由状態とすると、この外装不織布が床面を摺動することにより、汚れの掻き取り効果を発揮できる。
【００１９】
また、本発明は、前記外装不織布は、親水処理された合成樹脂繊維と親水性繊維の少なくとも一方を含み、且つ繊度が０．０１１〜０．７７ｄｔｅｘの極細繊維を含んでいることが好ましい。
【００２０】
外装不織布の外面に極細繊維が現れていると、極細繊維自体が汚れ除去効果を発揮できとともに、不織布表面に細かな隙間を形成でき、床面の汚れを除去しやすくなる。また極細繊維が表面に現れている外装不織布は表面にソフト感があり、フローリングと称される表面に塗装などの仕上げ材が設けられた床やその他の木製の床に対する当たりがソフトであり、床面に傷をつけにくくなる。
【００２１】
また、前記液透過シートは、例えば、疎水性の熱融着性繊維を含んでスルーエア−法で形成された不織布である。
【発明の効果】
【００２２】
本発明では、床などの清掃面を濡らした状態で清掃を行うに際し、清掃用シートと床面との間の液の量を調整して、床面に過剰な液が与えられるのを防止でき、さらに細かな汚れと比較的大きな汚れの双方を効果的に除去できる。また木製の床を変質させたり傷付けることが生じにくくなる。
【発明を実施するための最良の形態】
【００２３】
図１は本発明の実施の形態の清掃用シート１を装着するのに適した清掃具１０を示す斜視図、図２は前記清掃具１０の清掃ヘッド１１を示す拡大斜視図、図３は前記清掃ヘッド１１に清掃用シート１が取付けられた状態を示す斜視図、図４は清掃ヘッド１１に清掃用シート１が取り付けられた状態を示す側面図、図５は前記清掃用シート１を清掃面側から示す底面図、図６は図５のＶＩ−ＶＩの断面である清掃用シートの半断面図、図７は前記清掃用シートの構成を示す分解斜視図、図８は前記清掃用シートの外装不織布に使用されている分割繊維の説明図である。
【００２４】
図４と図６に示すように、本発明の清掃用シート１は、図１ないし３に示す清掃具１０の清掃ヘッド１１に装着されるものである。
【００２５】
前記清掃用シート１は、清掃ヘッド１１のパッド２２の底部２３に取り付けられる装着面１ｂと、床面などを拭く清掃面１ａとを有している。図５に示すように、前記清掃面１ａは長方形であり、平行に対向する長辺１ｃ，１ｃと、平行に対向する短辺１ｄ，１ｄを有している。この清掃用シート１は、主に前記長辺１ｃ，１ｃのいずれか一方が床面などを清掃する際の拭き方向の前方に向けられて使用されるのに適している。
【００２６】
図７の分解斜視図に示すように、前記清掃用シート１は、清掃面１ａ側から順に、外装不織布２、液透過シート３、液吸収シート４、背面シート５、および一対の掛止シート６，７とが重ねられて構成されている。
【００２７】
前記各シートの左右方向（長手方向）の幅寸法は全て同じＷである。縦方向（短幅方向）の長さ寸法は、外装不織布２がＬ２、液透過シート３がＬ３、液吸収シート４がＬ４、背面シート５がＬ５である。図５に示すように、前記液透過シート３の長さ寸法Ｌ３が、清掃用シート１の短辺１ｄの長さ寸法に一致している。
【００２８】
前記液吸収シート４の長さ寸法Ｌ４と前記背面シート５の長さ寸法Ｌ５が一致しており、これら長さ寸法Ｌ４とＬ５は、前記液透過シート３の長さ寸法Ｌ３よりも短く、図６に示すように、液透過シート３の長辺縁部３ａは、前記液吸収シート４の長辺４ａからわずかに突出している。同様に、液透過シート３の長辺縁部３ｂは液吸収シート４の長辺４ｂからわずかに突出している。
【００２９】
前記外装不織布２の長さ寸法Ｌ２は、前記液透過シート３の長さ寸法Ｌ３および前記液吸収シート４の長さ寸法Ｌ４よりも短い。図６に示すように、清掃用シート１の清掃面１ａでは、長辺１ｃから内側への長さＬａの範囲で、前記外装不織布２が存在しておらず、前記液吸収シート４を覆う前記液透過シート３が現れている。前記清掃面１ａでは、前記外装不織布３が表面に現れている領域が第１の領域８であり、前記のように液吸収シート４を覆う液透過シート３が表面に現れている領域が第２の領域９である。前記第２の領域９は、清掃面１ａの長辺１ｃ，１ｃに沿って帯状に形成されている。
【００３０】
清掃面１ａの大きさは、床面などを清掃するのに適していれば特に制限されないが、例えば縦方向の長さ寸法Ｌ３が、６０〜１６０ｍｍ程度であり、前記幅寸法Ｗは、２００〜３２０ｍｍ程度である。前記第２の領域９の長さ寸法Ｌａは、５ｍｍ以上であることが好ましく、さらに好ましくは１０ｍｍ以上である。また２×Ｌａは、全体の長さ寸法Ｌ３の１０％以上で５０％以下が好ましい。
【００３１】
前記外装不織布２および液透過シート３はいずれも熱融着可能な合成樹脂繊維を含んでおり、図５と図６に示すように、前記第１の領域８において、前記外装不織布２、液透過シート３および液吸収シート４が熱エンボス加工または超音波エンボス加工によって、一緒に圧縮され加熱されて接合されている。また、前記背面シート５は、液吸収シート４にホットメルト型接着剤で接着されている。
【００３２】
前記エンボス加工によって接合線７１が形成されている。この実施の形態では、前記接合線７１が、互いに平行な複数の直線パターンである。ただし、前記接合線７１のパターンは前記直線パターンに限られるものではなく、複数の直線パターンがクロス状に配置されたもの、波線パターン、その他の模様パターンのいずれであってもよい。図６に示すように、第１の領域８では清掃面１ａに前記接合線７１が溝として現れて、外装不織布２の表面に凹凸が形成されている。床面などを清掃したときに、前記接合線７１の溝部分に埃やゴミが付着しやすくなっている。なお、前記第２の領域９には、前記接合線７１が現れていない。
【００３３】
前記外装不織布２と前記液透過シート３は、接合線７２によって互いに固定されている。この接合線７２は、前記外装不織布２と前記液透過シート３とを、エンボス加工によって加熱し加圧することで形成されている。前記接合線７２は、前記外装不織布２の長辺縁部２ａ，２ｂのそれぞれの内側へ離れた位置で且つ前記長辺縁部２ａ，２ｂと平行に形成されている。前記接合線７２は、長辺に対して斜めに延びる短い接合部が長辺に沿って短いピッチで配列して形成されている。ただし、前記接合線７２は、長手方向へ延びる直線状であってもよいし、または長手方向へ間隔を開けて点線状またはドット状に形成されたものであってもよい。
【００３４】
図６に示すように、外装不織布２には、長辺縁部２ａと前記接合線７２との間に、清掃面１ａにおいて自由状態となったフラップ６１が形成されている。同様に、外装不織布２には、逆側の長辺縁部２ｂと接合線７２との間にフラップ６１が形成されている。清掃用シート１の長辺１ｃ，１ｃが摺動方向の前後に向くように床面上を摺動するときに、前記フラップ６１，６１が、床面に付着した汚れを除去する効果を発揮する。前記フラップ６１の自由長Ｌｂは０．５ｍｍ以上であることが好ましく、さらに好ましくは１ｍｍ以上である。前記自由長Ｌｂが長すぎると清掃面１ａと床面との摩擦抵抗を増大するおそれがあるため、前記自由長は１０ｍｍ以下が好ましく、さらに好ましくは５ｍｍ以下である。
【００３５】
前記第１の領域８は、前記接合線７２と接合線７２の領域、すなわち外装不織布２が液透過シート３に接合されている領域であり、前記第２の領域９は、前記接合線７１の端部から、前記液吸収シート４の長辺４ａ，４ｂまでの領域であり、前記フラップ６１は、この第２の領域９に位置している。
【００３６】
前記掛止シート６と掛止シート７には、左右方向の中央部に、凹部６ａ，７ａが形成されており、両凹部６ａ，７ａは互いに開放端が対向する位置に形成されている。
【００３７】
図６に示すように、前記掛止シート６の長辺縁部６ｂは、前記液透過シート３の長辺縁部３ａに合わされ、液吸収シート４の長辺４ａの外側において、液透過シート３と掛止シート６は、互いに対面した状態で接合線７３においてホットメルト型接着剤によって接着されている。この接合線７３は、液透過シート３の長辺縁部３ａと平行で且つ長辺に向けて全長に形成されている。同様に、前記掛止シート７の長辺縁部７ｂが、液透過シート３の長辺縁部３ｂに合わされ、液吸収シート４の長辺４ｂの外側において接合線７２によって接着されている。
【００３８】
したがって、清掃用シート１は、前記掛止シート６と掛止シート７とが装着面１ｂ側に重ねられた長方形の状態で保管することができる。
【００３９】
前記外装不織布２は、繊維が高密度の不織布であるが、少なくとも７０質量％以上の繊維が親水処理された合成樹脂繊維で形成されている。親水処理された合成樹脂繊維は、親水性であるが、水を含んで膨潤することがない。よって外装不織布２は液で濡れることができ、また表面に与えられた液を液吸収シート４に向けて浸透させることが可能である。
【００４０】
この実施の形態の外装不織布２は、図８（Ａ）に示す、親水処理された分割可能な連続長繊維６０で形成されたスパンボンド不織布である。前記連続長繊維６０は、繊度が１．１〜５．５ｄｔｅｘ程度のＰＥの本体繊維６２の周囲に、０．０１１〜０．７７ｄｔｅｘ、好ましくは０．１１〜０．５５ｄｔｅｘのＰＥＴの極細繊維６３が一体化された状態で紡糸される。そして、前記ＰＥＴ中にポリエチレングリコールなどの界面活性剤が練り込まれて親水処理されている。
【００４１】
紡糸方法は、ＰＥとＰＰの溶融樹脂をノズルから押し出し、溶融繊維どうしを熱接着させたスパンボンド法で形成された不織布である。
【００４２】
前記不織布を形成した後に、この不織布にウォータジェットノズルから高圧水流を与えて、図８（Ｂ）に示すように、前記極細繊維６３を本体繊維６２から分割させたものが使用される。
【００４３】
前記工程で形成された外装不織布２は、繊維の分割により不織布内に液を透過させることができる空隙が形成される。また分割された極細繊維６３が、不織布表面に独立した自由な状態で現れる。この自由状態の極細繊維６３は汚れの除去効果を発揮できるとともに、繊維間の空隙内で床面上の細かなゴミや埃を捕捉できるようになる。また、不織布の外面に極細繊維６３が多数独立して現れるため、不織布表面が軟質で肌触りの良好なものとなる。そのため、フローリングと称される表面に塗装などの仕上げ材が設けられた木製の床などへの当たりが柔らかく、木製の床の表面を傷付けたり仕上げ材が変質するのを防止できる。
【００４４】
外装不織布２としては、界面活性剤で親水処理されたＰＥ、ＰＰ、ＰＥＴ、ナイロン、アクリルなどの合成樹脂繊維で形成された不織布、コットン、レーヨン、パルプなどの親水性繊維で形成された不織布、あるいは前記合成樹脂繊維と前記親水性繊維とを組み合わせた不織布で代替させることができる。例えば、スパンレース法、ポイントボンド法などで形成された不織布であってもよい。
【００４５】
前記外装不織布２の目付けは、１０〜１００ｇ／ｍ２の範囲であることが好ましく、繊維密度は、０．１〜０．４ｇ／ｃｍ３が好ましい。密度が前記範囲であると、床面上の液を液吸収シート４に向けて浸透させることができ、また液吸収シート４から過剰な液が不織布表面に滲み出るのを防止できる。
【００４６】
前記液透過シート３は、疎水性繊維を７０質量％以上含む低密度の不織布である。前記液透過シート３は、ポリエチレン（ＰＥ）樹脂、ポリプロピレン（ＰＰ）樹脂、ポリエチレンテレフタレート（ＰＥＴ）樹脂、またはＰＥとＰＰの複合合成樹脂繊維や、ＰＥとＰＥＴとの複合合成樹脂繊維を、熱風で互いに熱接着させるスルーエアー法で形成された不織布が使用される。
【００４７】
液透過シート３の目付けは、１０〜５０ｇ／ｍ２であり、繊維の密度は、前記外装不織布２よりも低く、例えば０．０１５〜０．０７５ｇ／ｃｍ３の範囲のものが使用される。繊維密度が前記範囲であると、床面上の液を液吸収シート４に浸透させて、床面と清掃用シート１との間に介在する液の量を調整する効果を発揮できるようになる。
【００４８】
また、前記液透過シート３は、前記スルーエアー法で不織布を形成する際に、ローラで処理された面が装着面１ｂに向き、ローラで処理されていない面、すなわち繊維が毛羽立っている（起毛している）面が、清掃面１ａに向けられて設置されることが好ましい。この場合、清掃面１ａでは、液透過シート３の毛羽立って比較的大きなゴミを捕捉する効果を発揮できるようになる。
【００４９】
前記液透過シート３は、４４ｍｍφの円板で、２９４．２Ｐａの圧力を与えたときに、厚みが０．５〜２．５ｍｍとなり、同じく１ｋＰａの圧力を与えたときの厚みが０．０５〜１．０ｍｍとなるものが好ましく使用される。この液透過シート３はクッション性と弾性回復性を有し、常に液を透過できる空隙を維持できるものとなる。
【００５０】
前記液吸収シート４は、第１の吸収シート４ｄと第２の吸収シート４ｅとが重ねられたものである。前記第１の吸収シート４ｄと第２の吸収シート４ｅは、共にパルプをエアーレイド法で積層し、樹脂バインダーで繊維間を接合したエアレイドパルプである。前記液吸収シート４の目付けは、５０〜２００ｇ／ｍ２程度である。なお、前記液吸収シート４は、積層パルプシートや、パルプに高吸収性ポリマー（ＳＡＰ）が含まれたものであってもよい。
【００５１】
なお、液吸収シート４は液を吸収保持できるものであるならば他のものでもよく、例えばレーヨンとパルプを含むスパンレース不織布、またはこのスパンレース不織布を複数枚積層したもの、親水処理された合成樹脂繊維とパルプとをエアーレイド法で積層し、バインダーで繊維間を接着したエアーレイド不織布などを使用できる。
【００５２】
前記背面シート５は、液遮断性であってもよいし、液透過性であってもよい。液透過性の場合には、前記液透過シートと同等のスルーエア−不織布や、レーヨンとパルプを含むスパンレース不織布で形成することができる。また液遮断性とするには、スパンボンド不織布、スパンボンド不織布とメルトブローン不織布とを積層させた複合不織布を撥水剤で処理したものなどを使用できる。好ましくは親水処理された合成樹脂繊維で形成された目付けが２０ｇ／ｍ２のスパンボンド不織布が使用される。
【００５３】
前記掛止シート６，７は、合成樹脂繊維でポイントボンド法で形成された不織布や、スパンボンド法で形成された不織布などである。
【００５４】
図１に示す清掃具１０は、清掃ヘッド１１と、この清掃ヘッド１１の上面に自在継手１２を介して連結されたシャフト１３と、前記シャフト１３の上端に固定されたグリップ部１４とを有している。この実施の形態では、前記シャフト１３と前記グリップ部１４とで把持部１５が構成されている。
【００５５】
図２に示すように、前記清掃ヘッド１１は平面形状が長方形であり、この長方形の一方の長辺に前側面１１ａが形成され、他方の長辺に後側面１１ｂが形成されている。また、一方の短辺に右端面１１ｃが形成され、他方の短辺に左端面１１ｄが形成されている。前記前側面１１ａと後側面１１ｂの長さは、図５に示す清掃用シート１の幅寸法Ｗにほぼ一致しており、前記右端面１１ｃと左端面１１ｄの長さは、清掃用シート１の前記縦方向の長さ寸法Ｌ２とほぼ一致している。
【００５６】
前記清掃ヘッド１１は、アクリロニトリル−ブタジエン−スチレン（ＡＢＳ）、ポリエチレン（ＰＥ）、ポリプロピレン（ＰＰ）またはポリエチレンテレフタレート（ＰＥＴ）などの合成樹脂材料で射出成型された硬質のホルダ２１と、このホルダ２１の下面に固着されたパッド２２とを有している。前記パッド２２は、エチレン−酢酸ビニル共重合体（ＥＶＡ）、ウレタン、またはゴムなどの可撓性で且つ弾性を発揮する素材で形成されている。あるいは前記パッド２２が、軟質なＰＰやＰＥで形成されていてもよい。前記パッド２２と前記ホルダ２１は接着されて固定されている。前記パッド２２の底部２３はほぼ平坦面である。
【００５７】
前記ホルダ２１の上面部では、前側面１１ａと右端面１１ｃおよび左端面１１ｄとの２つの角部の内側、および後側面１１ｂと右端面１１ｃおよび左端面１１ｄとの２つの角部の内側に、シート止め機構２４が設けられている。このシート止め機構２４では、前記ホルダ２１の上面に穴２１ａが形成され、この穴２１ａがＰＥ，ＰＰ，ＰＥＴなどで形成された変形可能なシート２５で覆われている。前記シート２５に切れ目２５ａが形成されており、図３に示すように前記掛止シート６，７が前記切れ目２５ａ内に押し込まれることでこの清掃用シート１が止められる。
【００５８】
図２に示すように、前記ホルダ２１には噴液部３０が搭載されている。この噴液部３０は、前記ホルダ２１の、右端面１１ｃと左端部１１ｄとの中点で、且つ前記自在継手１２の前方に配置されている。前記噴液部３０は、台座３１とノズルヘッド３２との２つの部材で構成されている。前記ノズルヘッド３２の前面である噴射面３３の３箇所にノズル３５，３６，３７が開孔している。
【００５９】
図１に示すように、前記シャフト１３には容器ホルダ４１が設けられ、この容器ホルダ４１に液を収納した容器４２が装着できるようになっている。この実施の形態では、前記容器ホルダ４１と前記容器４２とで液溜め部４０が構成されている。前記容器ホルダ４１の下部４１ａの内部には、弁を備えた断続機構が設けられている。前記グリップ部１４には操作部４３が設けられており、この操作部４３を押圧操作すると前記断続機構に設けられた弁が開放できるようになっている。
【００６０】
次に、前記清掃具１０の使用方法を説明する。
図３と図４に示すように、前記清掃ヘッド１１に前記清掃用シート１が取付けられる。この清掃用シート１は、前記液吸収シート４が設けられた本体部が前記パッド２２の底部２３に敷設される。前記清掃用シート１の掛止シート６と７は、清掃ヘッド１１の前側面１１ａと後側面１１ｂを巻き込むようにしてホルダ２１の上面に設置され、この掛止シート６，７が前記シート止め機構２４に挟み込まれることにより、清掃ヘッド１１に清掃用シート１が取り付けられる。図３に示すように、一方の掛止シート６に形成された凹部６ａ内に前記ノズルヘッド３２の噴射面３３が現れる。
【００６１】
図４に示すように、清掃用シート１が清掃ヘッド１１に取り付けられると、前記第１の領域８および前記第２の領域９が、パッド２２の底部２３にほぼ平面状に設置される。第１の領域８は前記底部２３の前後方向の中央に位置し、前記第２の領域９，９は、前記底部２３において前記前側面１１ａと後側面１１ｂに沿って帯状に配置される。
【００６２】
この清掃具１０を使用するときには、パッド２２の底部２３に設置された清掃用シート１の第１の領域８と第２の領域９を被清掃面である床面に設置する。グリップ部１４を手で把持して、操作部４３を押圧操作すると、容器ホルダ４１の下部４１ａ内に設けられた断続機構の弁が開き、容器４２の内部の液の上部空間が大気に連通する。その結果、シャフト１３の内部空間１３ａおよびパイプ４４を経てノズルヘッド３２の内部圧力が容器４２内の液面の高さの応じて上昇し、ノズル３５，３６，３７から液が前方へ噴射され、清掃ヘッド１１の外部前方に位置する床面に液が与えられる。液で床面を濡らした後に、清掃ヘッド１１を前方へ移動させて清掃用シート１で床を拭き清掃する。
【００６３】
前記容器４２に入れられる液は、水であってもよいし、床面を洗浄する洗剤や、つや出しワックスなどを含んだものであってもよい。
【００６４】
清掃ヘッド１１をその前側面１１ａを前方へ移動させ、後側面１１ｂを後方へ移動させるように摺動させると、第２の領域９が先行して床面を摺動し、第２の領域９に設けられた液透過シート３の表面の毛羽立ちにより比較的大きく立体的なゴミや埃を捕捉できる。比較的大きく立体的なゴミや埃に液が与えられると、床面との間で液の表面張力や水素結合によりこれらゴミや埃がこびり付くようになるが、前記液透過シート３の表面では比較的剛性の高い合成樹脂繊維が毛羽立っているため、床面に付着した前記ゴミや埃を除去できるようになる。
【００６５】
また床面の細かな埃によって汚された液は、液透過シート３の繊維間の空隙を通過して液吸収シート４に吸収されて保持される。床面に沿って先行して移動する第２の領域９によって、床面に与えられた液が、液透過シート３を透過して液吸収シート４で吸収されるため、その後に移動していく第１の領域８において、外装不織布２と床面との間の液の量が調整されて、外装不織布２に過剰な液が与えられるのを防止できるようになる。よって、第１の領域８では、外装不織布２が適度な量の水分を保持した状態で床面を摺動するようになり、外装不織布２で、細かなゴミや埃を拭き取ることが可能になる。
【００６６】
さらに、第１の領域８と第２の領域９との境界では、清掃ヘッド１１の前側面１１ａと後側面１１ｂの内側で且つ前記側面と平行なフラップ６１，６１が自由な状態で存在しているため、このフラップ６１，６１によっても、床面にこびりついた汚れを除去できるようになる。
【００６７】
なお本発明は、前記実施の形態に限られるものではなく、種々の変更が可能である。例えば、清掃用シート１の液吸収シート３が設けられた本体部は、長円形状や楕円形状であってもよい。この場合には、第２の領域９は長円や楕円の周囲に沿って設けられる。
【００６８】
また、第１の領域８と第２の領域９が、清掃用シートの長手方向に帯状に延び、清掃用シートの短辺方向である縦方向に向けて、前記帯状の第１の領域８と第２の領域９とが交互に配置されていてもよい。または、第１の領域に複数の穴が形成され、この穴の内部が第２の領域９とされてもよい。
【００６９】
また、前記実施の形態では、第１の領域８において、外装不織布２の内側に液透過シート３が存在しているが、第１の領域８において、前記液透過シート３が存在しておらず、外装不織布２が液吸収シート４に直接に固定されている構造であってもよい。
【００７０】
また、本発明の清掃用シートは、前記した清掃具１０に装着されるものに限られず、前記ノズルを有しない清掃具に装着され、外部から液吸収シート４に液を供給して清掃に使用するものであってもよい。
【図面の簡単な説明】
【００７１】
【図１】本発明の清掃用シートが取り付けられる清掃具の全体構造を示す斜視図、
【図２】前記清掃具の清掃ヘッドを示す拡大斜視図、
【図３】前記清掃ヘッドに清掃用シートが取付けられた状態を示す斜視図、
【図４】清掃ヘッドに清掃用シートが取り付けられた状態を示す側面図、
【図５】本発明の実施の形態の清掃用シートの清掃面を示す底面図、
【図６】図５のＶＩ−ＶＩ線の半断面図、
【図７】清掃用シートの構造を示す分解斜視図、
【図８】（Ａ）（Ｂ）は分割繊維を示す拡大説明図、
【符号の説明】
【００７２】
１  清掃用シート
２  外装不織布
３  液透過シート
４  液吸収シート
５  背面シート
６，７  掛止シート
８  第１の領域
９  第２の領域
１０  清掃具
１１  清掃ヘッド
１３  シャフト
１４  グリップ部
１５  把持部
２１  ホルダ
２２  パッド
２３  底部
３２  ノズルヘッド
３３  噴射面
３５，３６，３７  ノズル
【図１】
2005342260.tif 000003
【図２】
2005342260.tif 000004
【図３】
2005342260.tif 000005
【図４】
2005342260.tif 000006
【図５】
2005342260.tif 000007
【図６】
2005342260.tif 000008
【図７】
2005342260.tif 000009
【図８】
2005342260.tif 000010